(57)【特許請求の範囲】
【請求項１】
受信手段によって伝送路から受信したパケットを、二重化された第１、第２のスイッチ部を介して出力手段に出力し、前記出力手段が前記第１、第２のスイッチ部から受信したパケットのいずれかを選択して伝送路に送出するパケット交換装置において、
前記受信手段は、前記第１、第２のスイッチ部に対応して設けられた第１、第２の送信部と、前記第１、第２のスイッチ部を通る経路中の故障を検出して、故障が発生した経路の前記第１の送信部又は第２の送信部に対して故障を検出したことを表す故障検出信号を出力する故障検出手段とを有し、前記第１、第２の送信部は、前記伝送路から受信したパケットに誤り検出用の検査フィールドを付加して対応する前記第１、第２のスイッチ部に送出すると共に、前記故障検出信号を受信して、前記検査フィールドに誤りを表す信号を付加して送出し、
前記出力手段は、前記第１、第２のスイッチ部から受信したいずれかのパケットの前記検査フィールドに誤りを検出した場合、誤りのない方のスイッチ部から受信したパケットを前記伝送路に送出することを特徴とするパケット交換装置。
【請求項２】
前記出力手段は、前記第１、第２のスイッチ部に対応して設けられ前記検査フィールドを用いて誤り検出を行う第１、第２の検査部と、前記第１、第２の検査部の検査結果に応じて、前記検査フィールドに誤りのないパケットを選択するための選択信号を出力する選択制御部と、前記選択信号に応答して前記第１、第２のスイッチ部のうちの誤りのない方のパケットを選択して前記伝送路へ送出するセレクタとを備えて成ることを特徴とする請求項１記載のパケット交換装置。
【請求項３】
前記選択制御部は、前記第１、第２の検査部がいずれもパケットに誤りがないことを検出した場合、前記第１、第２のスイッチ部のうち、アクティブ状態にあるスイッチ部からのパケットを前記伝送路に送出するように前記セレクタを制御することを特徴とする請求項２記載のパケット交換装置。
【請求項４】
前記セレクタは、前記第１スイッチ部からのパケットと第２のスイッチ部からのパケットを切替えて前記伝送路に送出する場合、パケットの先頭で切替を行うことを特徴とする請求項２又は３記載のパケット交換装置。
【請求項５】
受信手段によって伝送路から受信したパケットを、二重化された第１、第２のスイッチ部を介して出力手段に出力し、前記出力手段が前記第１、第２のスイッチ部から受信したパケットのいずれかを選択して伝送路に送出するパケット交換装置において、
前記受信手段は、前記第１、第２のスイッチ部に対応して設けられた第１、第２の送信部と、前記第１、第２のスイッチ部を通る経路中の故障を検出して、故障が発生した経路の前記第１の送信部又は第２の送信部に対して故障を検出したことを表す故障検出信号を出力する故障検出手段とを有し、前記第１、第２の送信部は、前記伝送路から受信したパケットに誤り検出用の検査フィールドを付加して対応する前記第１、第２のスイッチ部に送出すると共に、前記故障検出信号を受信して、前記検査フィールドに誤りを表す信号を付加して送出し、
前記出力手段は、前記第１、第２のスイッチ部に対応して設けられ前記検査フィールドを用いて誤り検出を行う第１、第２の検査部と、前記第１、第２の検査部の検査結果に応じて、前記検査フィールドに誤りのないパケットを選択するための選択信号を出力する選択制御部と、前記選択信号に応答して前記第１、第２のスイッチ部のうちの誤りのない方のパケットを選択して前記伝送路へ送出すると共に前記第１スイッチ部からのパケットと第２のスイッチ部からのパケットを切替えて前記伝送路に送出する場合、パケットの先頭で切替を行うセレクタとを備えて成り、
前記選択制御部は、前記第１、第２の検査部がいずれもパケットに誤りがないことを検出した場合、前記第１、第２のスイッチ部のうち、アクティブ状態にあるスイッチ部からのパケットを前記伝送路に送出するように前記セレクタを制御することを特徴とするパケット交換装置。
【発明の詳細な説明】
【０００１】
【発明の属する技術分野】
本発明は、パケットの交換を行うパケット交換装置に関し、特に、二重化されたスイッチ部によってパケット交換を行うパケット交換装置に関する。
【０００２】
【従来の技術】
近年、インターネットの普及によりインターネットを構成する装置の高性能化、高機能化、そして低価格化が進み、従来の信頼性を要求されるデータ通信網や電話網までもがインターネット機器を用いて構成されるようになってきている。しかしながら、高度な信頼性、すなわち障害に対する耐性については未解決のままである。今後もますます、一部の高信頼性のネットワークを構成するインターネット機器についても高信頼性が求められることが予想される。
インターネット等において、データ伝送に使用するパケットの交換にパケット交換装置が使用されている（例えば、特開平５−５６０６５号公報、特開平７−１４３１３８号公報、特開平８−２５１１８４号公報、特開平９−２８４３００号公報、特開平１１−８８３３８号公報参照）。
【０００３】
図５は、従来から使用されているパケット交換装置を示す図で、スイッチ部を２重化したパケット交換装置の例である。
図５に示すように、スイッチ部を２重化したパケット交換装置は、２つのスイッチ部１０、１１、（ｎ＋１）個の入力インタフェース部２０、２１、・・・、２ｎ、（ｎ＋１）個の出力インタフェース部３０、３１、・・・、３ｎにより構成されている。
【０００４】
入力インタフェース部２０と出力インタフェース部３０、入力インタフェース部２１と出力インタフェース部３１、・・・、入力インタフェース部２ｎと出力インタフェース部３ｎをそれぞれ対で、回線の入力および出力として使用する。
入力インタフェース部２０、２１、・・・、２ｎは各々、入力回線４０、４１、・・・、４ｎを介してパケットを受信し、受信したパケットをスイッチ部１０およびスイッチ部１１に各々送信する。スイッチ部１０、１１は各々、受信したパケットを回線インタフェース部３０、３１、・・・、３ｎに転送する。
【０００５】
１つの入力インタフェース部２０に着目して説明すると、入力インタフェース部２０は入力回線４０を介してパケットを受信し、該受信したパケットをスイッチ部１０及びスイッチ部１１に送出する。スイッチ部１０は、入力インタフェース部２０から受信したパケットを、出力インタフェース部３０、３１、・・・、３ｎのいずれかに送信する。同様にスイッチ部１１は、入力インタフェース部２０から受信したパケットを、出力インタフェース部３０、３１、・・・、３ｎのいずれかに送信する。
【０００６】
スイッチ部１０、１１が入力インタフェース部２０から受信したパケットを、いずれの出力インタフェース部３０、３１、・・・、３ｎに転送するかについては、周知の方法によって実現されるため詳細な説明は省略するが、概要を説明すると、例えば、入力インタフェース部２０は受信したパケットのヘッダ情報を解析し、入力インタフェース部２０自身がもつルーティングテーブルを参照して、どの出力インタフェース部３０、・・・３Ｎに転送するかを決定し、該パケットとともにその転送先の出力インタフェース部を指定する情報（転送先情報）をスイッチ部１０、１１に対して転送し、スイッチ部１０、１１はその転送先情報にしたがって、受信したパケットを指定された出力インタフェース部に対して転送する。
【０００７】
出力インタフェース部３０、３１、・・・、３ｎは、スイッチ部１０またはスイッチ部１１から受信したパケットを、対応する出力回線５０、５１、・・・、５ｎに出力する。回線インタフェース部２１、２２、・・・、２ｎについても同様である。
こうして、パケット交換装置は、入力回線４０、４１、・・・、４ｎから入力されるパケットを、出力回線５０、５１、・・・、５ｎのいずれかに対して出力するように動作する。
なお、図５では入力インタフェース部２０、２１、・・・、２ｎと出力インタフェース部３０、３１、・・・、３ｎを別の機能部としているが、物理的な接続先の装置が同じになることがほとんどなので、両方の機能部が同一のカードに搭載されていることが多い。
【０００８】
図５のパケット交換装置は、スイッチ１０またはスイッチ１１のいずれかが「アクト」、他方が「スタンバイ」という状態で運転する。入力インタフェース部２０〜２ｎからスイッチ部１０及びスイッチ部１１の両方に対してパケットが送信され、スイッチ部１０及びスイッチ部１１の両方が出力インタフェース部３０〜３ｎに対してパケットを送信するが、両方のスイッチ部１０、１１を経由するパケットが全て出力回線５０〜５ｎのそれぞれに対して出力されるわけではなく、出力インタフェース部３０〜３ｎは、アクト状態にあるスイッチ部から到達するパケットのみを転送し、スタンバイ状態にあるスイッチ部から到達するパケットは転送しない。
尚、入力インタフェース部２０〜２ｎがスイッチ部１０もしくはスイッチ部２０のいずれかにしかパケットを送信しないような方法もある。この場合はパケットが通過しないスイッチ部の状態を、コールドスタンバイと呼び、先に説明した状態をホットスタンバイと呼び区別する。このような運転形態のパケット交換装置は周知であるのでその説明は省略する。
【０００９】
出力インタフェース部３０〜３ｎは、スイッチ部１０及びスイッチ部１１のうちどちらがスタンバイ状態で、どちらがアクト状態であるかを認識している。スイッチ部１０、１１のアクト／スタンバイの状態を知る方法として、たとえば、スイッチ部１０およびスイッチ部１１から各出力インタフェース部３０〜３ｎに対して自身の状態（アクト状態なのかスタンバイ状態なのか）を通知するための状態通知信号を送信することによって行う。
【００１０】
次に、系切替の動作について説明する。先ず、スイッチ部１０がアクト状態、スイッチ部１１がスタンバイ状態にあるとする。出力インタフェース部３０〜３ｎは、スイッチ部１０から転送されるパケットのみを出力回線５０〜５ｎに対して出力するが、スイッチ部１０に故障が発生した場合には、スイッチ部１０内に備えた故障検出手段（図示せず）によってその故障を検出し、スイッチ部１０をアクト状態からスタンバイ状態に変更する。スイッチ部１１は、スイッチ部１０が故障したことを検出して、スタンバイ状態からアクト状態に移行する。
こうして、回線インタフェース部３０〜３ｎは、スイッチ部１０からのパケット受信を停止し、スイッチ部１１からのパケット受信を開始する。
【００１１】
尚、スイッチ部１０がスタンバイ状態、スイッチ部１１がアクト状態にあるときに、スイッチ部１１に故障が発生した場合には、スイッチ部１１内に備えた故障検出手段（図示せず）によってその故障を検出し、スイッチ部１１をアクト状態からスタンバイ状態に変更する。スイッチ部１０は、スイッチ部１１が故障したことを検出して、スタンバイ状態からアクト状態に移行する。回線インタフェース部３０〜３ｎは、スイッチ部１１からのパケット受信を停止し、スイッチ部１０からのパケット受信を開始する。
このようにすることにより、２つのスイッチ部１０、１１の中のパケットを転送しているスイッチ部１０、１１の一方が故障した場合、速やかに他方のスイッチ部１０、１１がパケットの転送を行うので、故障に強いパケット交換装置を実現することができる。
【００１２】
【発明が解決しようとする課題】
しかしながら、前記従来のパケット交換装置では、故障検出をしてそれをスイッチ部のアクト／スタンバイの状態切替に反映させ、さらにそれにより出力インタフェース部がスイッチ部選択の制御を行うので、スイッチ切替に時間がかかるという問題がある。
また、スイッチ部のアクト／スタンバイの状態だけをみて、スイッチ部の切替を行うので、スイッチ部から転送中のパケットが切替によって分断されてしまう可能性がある。
【００１３】
本発明はスイッチ切替を迅速に行うことを可能にすることを課題としている。また、本発明は転送パケットの分断を防止することを課題としている。
【００１４】
【課題を解決するための手段】
本発明によれば、受信手段によって伝送路から受信したパケットを、二重化された第１、第２のスイッチ部を介して出力手段に出力し、前記出力手段が前記第１、第２のスイッチ部から受信したパケットのいずれかを選択して伝送路に送出するパケット交換装置において、前記受信手段は、前記伝送路から受信したパケットに誤り検出用の検査フィールドを付加して出力し、前記出力手段は、前記第１、第２のスイッチ部から受信したいずれかのパケットの前記検査フィールドに誤りを検出した場合、誤りのない方のスイッチ部から受信したパケットを前記伝送路に送出することを特徴とするパケット交換装置が提供される。
受信手段は、伝送路から受信したパケットに誤り検出用の検査フィールドを付加して出力する。出力手段は、第１、第２のスイッチ部から受信したいずれかのパケットの前記検査フィールドに誤りを検出した場合、誤りのない方のスイッチ部から受信したパケットを伝送路に送出する。
【００１５】
ここで、前記出力手段は、前記第１、第２のスイッチ部に対応して設けられ前記検査フィールドを用いて誤り検出を行う第１、第２の検査部と、前記第１、第２の検査部の検査結果に応じて、前記検査フィールドに誤りのないパケットを選択するための選択信号を出力する選択制御部と、前記選択信号に応答して前記第１、第２のスイッチ部のうちの誤りのない方のパケットを選択して伝送路へ送出するセレクタとを備えて成るように構成してもよい。
【００１６】
また、前記選択制御部は、前記第１、第２の検査部がいずれもパケットに誤りがないことを検出した場合、前記第１、第２のスイッチ部のうち、アクティブ状態にあるスイッチ部からのパケットを前記伝送路に送出するように前記セレクタを制御するように構成してもよい。
また、前記セレクタは、前記第１スイッチ部からのパケットと第２のスイッチ部からのパケットを切替えて前記伝送路に送出する場合、パケットの先頭で切替を行うように構成してもよい。
【００１７】
また、前記受信手段は、前記第１、第２のスイッチ部に対応して設けられた第１、第２の送信部を有し、前記第１、第２の送信部は、伝送路から受信したパケットに誤り検出用の検査フィールドを付加して対応する前記第１、第２のスイッチ部に送出するように構成してもよい。
また、前記受信手段は、前記第１、第２のスイッチ部を通る経路中の故障を検出して、前記第１、第２のスイッチ部に対応して設けられた送信部に、故障を検出したことを表す故障検出信号を出力する故障検出手段を有し、前記第１、第２の送信部は、前記故障検出信号を受信して、前記検査フィールドに誤りを表す信号を付加して送出するように構成してもよい。
【００１８】
【発明の実施の形態】
図１は本発明の第１の実施の形態に係るパケット交換装置のブロック図で、図５と同一部分には同一符号を付している。尚、本第１の実施の形態に係るパケット交換装置は図５と同様に、スイッチ部１０、１１には、各々、複数の入力インタフェース部と複数の出力インタフェース部が接続された構成であるが、図１においては、図５に示したパケット交換装置の中の１組の入力インタフェース部２０および出力インタフェース部３０と、スイッチ部１０、１１のみを示している。
【００１９】
図１において、受信手段としての入力インタフェース部２０は、パケットを受信するための機能部である。また、出力手段としての出力インタフェース部３０はパケットを送出するための機能部である。
入力インタフェース部２０は、入力処理部２０５、複数の送信部２００、２０１を備えている。出力インタフェース部３０は、複数の検査部３００、３０１、セレクタ３０３、選択制御部３０４を備えている。
入力インタフェース部２０は、複数のパケットスイッチ部１０、１１と接続されており、両スイッチ部１０、１１に対してパケットを送信する。出力インタフェース部３０は、パケットスイッチ部１０、１１と接続されており、両パケットスイッチ部１０、１１からパケットを受信する。
【００２０】
以下、本第１の実施の形態に係るパケット交換装置の動作を説明する。
先ず、入力インタフェース部２０の動作について説明する。
入力処理部２０５は、回線４０を介して受信したパケットに対して、パケットヘッダに誤りが無いか否かの検査処理を行った後、送信部２００、２０１に出力する。例えば、受信したパケットがＩＰ（Ｉｎｔｅｒｎｅｔ  Ｐｒｏｔｏｃｏｌ）パケットの場合、ＴＴＬ（生存時間：Ｔｉｍｅ  Ｔｏ  Ｌｉｖｅ）値の減算を行い、チェックサムの再計算及び付与を行う。また、出力アドレスを読み取り、パケットを転送すべき出力インタフェースを調べる等の処理を行う。
【００２１】
送信部２００、２０１は、入力処理部２０５を介して回線４０から受信したパケットに対して、誤りを検出するためのフィールドを追加し、各々、対応するスイッチ部１０、１１に出力する。以下、これを検査フィールドと呼ぶことにする。たとえば、図２に示すようにパケットの末尾に検査フィールドを追加し、そのパケットに対してそのパケットに含まれるデータ全てに対するチェックサムを追加する。チェックサムは一例であり、他にパリティ演算結果やＣＲＣ演算結果を入れることも考えられる。こうして検査フィールドがついたパケットが送信部２００、２０１から、各々、対応するスイッチ部１０およびスイッチ部１１に対して送信される。
【００２２】
スイッチ部１０およびスイッチ部１１はスイッチング動作を行い、所望の出力インタフェース部に対してパケットを送信する。図１では簡単のため出力回線５０のみを示しており、この説明でも、スイッチ部１０、１１からの全てのパケットは出力インタフェース部３０に対してのみ転送されるものとして説明する。スイッチ部１０、１１は、各々、対応する検査部３００、３０１にパケットを出力する。
【００２３】
次に、出力インタフェース部３０の動作について説明する。
出力インタフェース部３０では、スイッチ部１０から受信したパケットは検査部３００、スイッチ部１１から受信したパケットは検査部３０１に入力される。検査部３００では、先に説明した送信部２００で付加された検査フィールドとパケットの内容を参照し、その検査フィールドの正常性を検査する。もし、検査結果が正常であれば選択制御部３０４に対して、パケット正常を示す検査信号を送信する。
検査部３０１でも同様に、先に説明した送信部２０１で付加された検査フィールドとパケットの内容を参照し、その検査フィールドの正常性を検査する。もし、検査結果が正常であれば選択制御部３０４に対して、パケット正常を示す検査信号を送信する。
【００２４】
選択制御部３０４は、いずれのスイッチ部１０、１１がアクト状態またはスタンバイ状態であるかを認識しているものとする。たとえば、図５の例で示したように、スイッチ部１０およびスイッチ部１１から送信されるアクトまたはスタンバイを示す信号でスイッチ部１０、１１のアクトもしくはスタンバイの状態を知ることができる。選択制御部３０４は、検査部３００および検査部３０１から送信される検査信号およびスイッチ部１０およびスイッチ部１１の状態をもとに、セレクタ３０３に対して選択信号を送信する。
【００２５】
セレクタ３０３は選択制御部３０４から送信された選択信号に従い、検査部３００もしくは検査部３０１のいずれかを選択して、出力回線５０に対してパケットを転送する。なお、セレクタ３０３の選択状態が切り替わるタイミングは、かならずパケットの先頭で行い、パケットの途中で選択状態を切り替えることはないようにする。これにより、転送中のパケットが切替によって分断されてしまうことを防止できる。
選択制御部３０４が出力する選択信号の種別の決定方法は以下のようである。検査部３００および検査部３０１の両方の検査結果が正常であれば、アクト状態にあるスイッチ部に接続されている検査部からのパケットを選択し、一方のみが正常であればスイッチ部がアクト状態にあるかスタンバイ状態にあるかに拘わらず検査結果が正常である検査部からのパケットを受信する。
【００２６】
この選択論理を表にすると図３のようになる。図３において、０系はスイッチ部１０を通る系、１系はスイッチ部１１を通る系を示している。図３に示すように、検査部３００による０系の検査および検査部３０１による１系の検査の両方の検査結果が正常であれば、アクト状態にあるスイッチ部（０系がアクトで１系がスタンバイの場合にはスイッチ部１０、０系がスタンバイで１系がアクトの場合にはスイッチ部１１）に接続されている検査部からのパケットを選択して出力回線５０に出力する。一方のみが正常であれば、０系と１系のうちのいずれの系がアクト状態にあるかスタンバイ状態にあるかに拘わらず、検査結果が正常である系のスイッチ部に接続された検査部からのパケットを選択して出力回線５０に出力する。
【００２７】
次にスイッチ部１０、１１、入力インタフェース部２０、出力インタフェース部３０の相互作業を説明する。ここで、スイッチ部１０がアクト状態、スイッチ部１１がスタンバイ状態にあるものとして説明する。
たとえば、スイッチ部１０と出力インタフェース部３０の間の伝送路上で断線等の何らかの故障が発生した場合には、出力インタフェース部３０側では、パケットや検査フィールドの値が正常とならない。この場合にはスイッチ部１０がたとえアクト状態であったとしても、スイッチ部１１からのパケットが結果として出力回線５０に出力される。
【００２８】
次に、スイッチ部１０の内部で何らかの故障が発生したとする。パケットを通過するルートの故障であった場合には、検査フィールドもしくはパケットに何らかの誤りが発生するので、スイッチ部１０と出力インタフェース部３０は前述した故障例と同様の動作を行う。即ち、スイッチ部１０がたとえアクト状態であったとしても、スイッチ部１１からのパケットが結果として出力回線５０に出力される。
しかしながら、それ以外の故障であった場合には検査フィールドおよびパケットが誤りとならない可能性がある。そういったことを防ぐために、スイッチ部１０内に設けられた故障検出手段（図示せず）で何らかの故障を検出した場合に、擬似的に検査フィールドに対して誤りパターンを発生させる。こうすることにより、出力インタフェース部３０ではスイッチ部１０からの誤りを検出し、結果として、スイッチ系切替（スイッチ部１０からスイッチ部１１への切替）が発生する。
【００２９】
図４は、本発明の第２の実施の形態に係るパケット交換装置のブロック図であり、図１と同一部分には同一符号を付している。
本第２の実施の形態が前記第１の実施の形態と相違する点は、入力インタフェース部２０側にスイッチ部１０で実現したような擬似的に検査フィールドに誤りを混入させる機能を有する点であり、そのための構成として、入力インタフェース部２０が故障検出部２０２を備えている点である。第１の実施の形態と同一部分についての説明は省略し、相違点についてのみ動作を説明する。
【００３０】
故障検出部２０２は、スイッチ部１０側又はスイッチ部１１側で故障が発生したことを検出すると、故障が発生した経路の送信部２００又は送信部２０１に対して、故障が発生した旨を表す故障検出信号を出力する。送信部２００と送信部２０１のうち、前記故障検出信号を受信した方の送信部は、前記検査フィールドに誤りを混入させて送出する。これにより、出力インタフェース部３０では、誤りが混入されていない検査フィールドを有するパケットを選択して、セレクタ３０３から回線５０に出力する。
これにより、入力インタフェース部３０側でどちらのスイッチ部１０、１１を通過したパケットを出力インタフェース部３０に渡すかを指定することができる。この機能を用いれば、スイッチ部１０、１１の状態をあらかじめ決定しておかなくても、入力インタフェース部２０側でどちらのスイッチ部１０、１１をアクト、スタンバイとして用いるかを指定することも可能である。
【００３１】
以上述べたように、前記各実施の形態に係るパケット交換装置は、受信手段によって伝送路から受信したパケットを、二重化された第１、第２のスイッチ部を介して出力手段に出力し、前記出力手段が前記第１、第２のスイッチ部から受信したパケットのいずれかを選択して伝送路に送出するパケット交換装置において、前記受信手段は、前記伝送路から受信したパケットに誤り検出用の検査フィールドを付加して出力し、前記出力手段は、前記第１、第２のスイッチ部から受信したいずれかのパケットの前記検査フィールドに誤りを検出した場合、誤りのない方のスイッチ部から受信したパケットを前記伝送路に送出することを特徴としているので、出力インタフェース部３０〜３ｎで自律的にいずれのスイッチ部１０、１１から転送されるパケットを選択するかを決定できるため、ソフトウェア等を利用したスイッチ部の状態決定による切り替えの遅れが発生しなくなり、迅速なスイッチ系切り替えが実現できる。
また、単純な構成によりパケットの選択回路を実現でき、複雑な系切替制御回路が不要となり、パケット交換装置を構成するためのハードウェアコストを低減できる。
さらに、パケット毎に切替制御を実行するので、切替に伴うパケットの紛失が少ないスイッチ系切替を実現することができる。
【００３２】
【発明の効果】
本発明によれば、迅速なスイッチ系切り替えを実現することが可能になる。
また、複雑な系切替制御回路が不要となり、ハードウェアコストを低減することが可能になる。
さらに、切替に伴うパケットの紛失が少ないスイッチ系切替を実現することが可能になる。
【図面の簡単な説明】
【図１】本発明の第１の実施の形態の構成を示す示すブロック図である。
【図２】本発明の実施の形態に使用するパケットを示す図である。
【図３】本発明の実施の動作を説明するための図である。
【図４】本発明の第２の実施の形態の構成を示すブロック図である。
【図５】従来のパケット交換装置を示すブロック図である。
【符号の説明】
１０、１１・・・スイッチ部
２０〜２ｎ・・・入力手段としての入力インタフェース部
３０〜３ｎ・・・出力手段としての出力インタフェース部
４０〜４ｎ・・・入力回線
５０〜５ｎ・・・出力回線
２００、２０１・・・送信部
２０２・・・故障検出部
２０５・・・入力処理部
３００、３０１・・・検査部
３０３・・・セレクタ
３０４・・・選択制御部
【図１】
0003608534.tif 000002
【図２】
0003608534.tif 000003
【図３】
0003608534.tif 000004
【図４】
0003608534.tif 000005
【図５】
0003608534.tif 000006